(57)【特許請求の範囲】
【請求項１】
乗客により指定された行先までの走行距離、及び、賃走状態における停車時間に応じたタクシー料金を算出する算出部及び前記算出部により算出されたタクシー料金を表示する表示部を備えたタクシーメータと、後部座席に着座する乗客に対して情報提供する表示器と、を備えたタクシーメータシステムであって、
前記タクシーメータは、タクシー料金の決済時に、少なくとも前記算出部により算出された当該タクシー料金の情報、及び、ユーザが保有する通信機器にてアクセスしたときの当該タクシー料金の情報の送信先であって、当該アクセスにより前記タクシー料金の情報が送信されて当該タクシー料金の情報に基づいて画像データが生成されるデータサーバにインターネット接続するためのＵＲＬの情報を含んだ二次元コードを生成する二次元コード生成部をさらに備え、
前記表示器は、前記二次元コード生成部により生成された二次元コードを表示する
ことを特徴とするタクシーメータシステム。
【請求項２】
前記二次元コード生成部は、さらに、決済日時、決済種別、乗降車地、及び高速道路の走行履歴の少なくとも１つの情報を含む二次元コードを生成する
ことを特徴とする請求項１に記載のタクシーメータシステム。
【請求項３】
前記タクシーメータは、前記表示器に表示されている二次元コードと同じ二次元コードを前記表示部に表示させる
ことを特徴とする請求項１又は２に記載のタクシーメータシステム。
【請求項４】
前記二次元コード生成部による二次元コードの生成を禁止する生成禁止部をさらに備える
ことを特徴とする請求項１から請求項３のいずれか１項に記載のタクシーメータシステ
ム。
【請求項５】
乗客により指定された行先までの走行距離、及び、賃走状態における停車時間に応じたタクシー料金を算出する算出部及び前記算出部により算出されたタクシー料金を表示する表示部を備えたタクシーメータと、後部座席に着座する乗客に対して情報提供する表示器と、タクシー料金の決済時に、インターネットの接続先を示すＵＲＬの情報、及び、少なくとも前記算出部により算出された当該タクシー料金の情報を含んだ二次元コードを生成する二次元コード生成部を備え、前記表示器が前記二次元コード生成部により生成された二次元コードを表示するタクシーメータシステムと、
前記表示器により表示された二次元コードを読み取り可能な通信機器と、
前記通信機器が前記二次元コードを読み取って前記ＵＲＬの情報が示す接続先にアクセスしたときに前記通信機器から前記タクシー料金の情報を受信し、受信した前記タクシー料金の情報に基づいて画像データを生成するデータサーバと、
を備えたことを特徴とする領収内容確認システム。
【発明の詳細な説明】
【技術分野】
【０００１】
本発明は、タクシーメータシステム及び領収内容確認システムに関する。
【背景技術】
【０００２】
従来、タクシー料金の決済時に領収書を発行するタクシーメータが知られている。領収書には、クレジットカードで決済した旨や、高速道路を利用した場合に高速道路の利用区間などの情報を記載することができる（例えば特許文献１参照）。
【先行技術文献】
【特許文献】
【０００３】
【特許文献１】特開２０１４−３２４９３号公報
【発明の概要】
【発明が解決しようとする課題】
【０００４】
ここで、本件出願人は、タクシー利用後に領収書の発行を不要等とするために、例えばＱＲコード（登録商標）のような二次元コードを後部座席等に設けられた表示器に表示することを検討している。ＱＲコードには、インターネットの接続先を示すＵＲＬの情報が二次元コード化されており、乗客は二次元コードをスマートフォン等の通信機器で読み取ることにより、タクシー料金の情報を参照することができる。
【０００５】
このようなシステムを実現する場合、例えば以下の構成を採用し得る。
【０００６】
すなわち、料金の決済時にタクシーメータは、事務所側の機器と通信して領収書に記載すべきタクシー料金等の情報を送信する。事務所側の機器は、受信した情報に基づいて、表示画面の情報を生成し、生成した表示画面にアクセスするためのＵＲＬを決定する。さらに、事務所側の機器は、ＵＲＬの情報をタクシーメータに返信し、タクシーメータは、受信したＵＲＬの情報を二次元コード化して表示させる。
【０００７】
しかし、このような構成とした場合、決済毎にタクシーメータと事務所側の機器とが通信する必要があり、タクシーメータに事務所側の機器と通信するための通信機能が必要となってしまう。
【０００８】
さらに、タクシーメータは、タクシー料金等の情報を事務所側の機器に送信してから事務所側の機器からＵＲＬの情報を受信するまで二次元コードを生成することができず、電波状態が良くない環境下においては二次元コードを表示できなかったり、できたとしても表示までに多大な時間を要してしまったりする可能性がある。
【０００９】
本発明はこのような従来の課題を解決するためになされたものであり、その目的とするところは、領収書の発行を不要とする場合において構成の簡素化を図り二次元コードの表示を適切に行うことが可能なタクシーメータシステム及び領収内容確認システムを提供することにある。
【課題を解決するための手段】
【００１０】
本発明のタクシーメータシステムは、乗客により指定された行先までの走行距離、及び、賃走状態における停車時間に応じたタクシー料金を算出する算出部及び前記算出部により算出されたタクシー料金を表示する表示部を備えたタクシーメータと、後部座席に着座する乗客に対して情報提供する表示器と、を備えたタクシーメータシステムであって、前記タクシーメータは、タクシー料金の決済時に、少なくとも前記算出部により算出された当該タクシー料金の情報、及び、ユーザが保有する通信機器にてアクセスしたときの当該タクシー料金の情報の送信先であって、当該アクセスにより前記タクシー料金の情報が送信されて当該タクシー料金の情報に基づいて画像データが生成されるデータサーバにインターネット接続するためのＵＲＬの情報を含んだ二次元コードを生成する二次元コード生成部をさらに備え、前記表示器は、前記二次元コード生成部により生成された二次元コードを表示することを特徴とする。
【００１１】
本発明のタクシーメータシステムによれば、インターネットの接続先を示すＵＲＬ、及び、少なくともタクシー料金の情報を含んだ二次元コードを生成して、後部座席に着座する乗客に対して情報提供する表示器に二次元コードを表示させる。このため、乗客は、表示器に表示される二次元コードをスマートフォン等の通信機器にて読み取ることができる。これにより、乗客が保有するスマートフォン等の通信機能を利用して二次元コードに含まれるＵＲＬのページにアクセスさせてタクシー料金の情報を乗客に取得させることとなり、タクシー料金の情報を乗客に取得させるために、タクシーメータ自体に事務所側の機器と通信するための通信機能を持たせなくともよく、構成の簡素化を図ることができる。
【００１２】
さらに、タクシー料金の情報を含んだ二次元コードを生成するため、乗客が保有するスマートフォン等によりＵＲＬのページにアクセスさせたときに、タクシー料金の情報をＵＲＬが示すページを表示するサーバ等に送信することができる。このため、事務所側の機器には、スマートフォン等がＵＲＬのページにアクセスしたときに送信されるタクシー料金の情報に基づいて画像生成するプログラムを搭載しておけば、二次元コードの生成前にタクシーメータと事務所側の機器とが通信を行う必要がなく、二次元コードを表示できなかったり、できたとしても表示までに多大な時間を要してしまったりすることを防止することができる。
【００１３】
従って、領収書の発行を不要とする場合において構成の簡素化を図り二次元コードの表示を適切に行うことができる。
【００１４】
このタクシーメータシステムにおいて、前記二次元コード生成部は、さらに、決済日時、決済種別、乗降車地、及び高速道路の走行履歴の少なくとも１つの情報を含む二次元コードを生成することが好ましい。
【００１５】
このタクシーメータシステムによれば、決済日時、決済種別、乗降車地、及び高速道路の走行履歴の少なくとも１つの情報を含む二次元コードを生成するため、ＵＲＬのページへのアクセス時に、タクシー料金以外の情報についても送信でき、実際の領収書により近い情報を乗客に取得させることができる。
【００１６】
このタクシーメータシステムにおいて、前記タクシーメータは、前記表示器に表示されている二次元コードと同じ二次元コードを前記表示部に表示させることが好ましい。
【００１７】
このタクシーメータシステムによれば、タクシーメータは、表示器に表示されている二次元コードと同じ二次元コードを表示部に表示させるため、例えば助手席に着座する乗客に対しても二次元コードを提供することができ、利便性を向上させることができる。
【００１８】
このタクシーメータシステムにおいて、前記二次元コード生成部による二次元コードの生成を禁止する生成禁止部をさらに備えることが好ましい。
【００１９】
このタクシーメータシステムによれば、二次元コード生成部による二次元コードの生成を禁止する生成禁止部を備えるため、例えばタクシー車両の乗務員が二次元コードを表示させたくない場合などには、二次元コードの表示を禁止させておき、紙媒体による領収書の発行を行うことができる。
【発明の効果】
【００２０】
本発明によれば、領収書の発行を不要とする場合において構成の簡素化を図り二次元コードの表示を適切に行うことが可能なタクシーメータシステムを提供することができる。
【図面の簡単な説明】
【００２１】
【図１】本発明の実施形態に係るタクシーメータシステムを示す外観構成図である。
【図２】本発明の実施形態に係るタクシーメータシステムを示すブロック図である。
【図３】本実施形態に係るタクシーメータシステムを含む領収書内容確認システムを示す概略図である。
【図４】本実施形態に係るタクシーメータの処理内容を示すフローチャートである。
【発明を実施するための形態】
【００２２】
以下、本発明の好適な実施形態を図面に基づいて説明する。なお、本発明は以下に示す実施形態に限られるものではない。
【００２３】
図１は、本発明の実施形態に係るタクシーメータシステムを示す外観構成図である。図１に示すように、タクシーメータシステム１は、タクシーメータ１０と、後部座席に着座する乗客に対して情報提供する外部操作表示器（表示器）２０と、決済端末３０と、プリンタ４０とから構成され、これらがＩ／Ｆを介して接続されている。
【００２４】
タクシーメータ１０は、乗客により指定された行先までの走行距離、及び賃走状態（迎車待状態を含む）における停車時間に応じて、料金を演算のうえ表示するものである。このようなタクシーメータ１０は、操作部１１と、表示部１２とを備えている。
【００２５】
操作部１１は、図１に示すように、空車、実車、合計、迎車、迎車待、３割増、高速、支払など、タリフ状態の変更操作用の各種操作ボタンから構成されている。例えば、操作部１１において実車ボタン１１ａが押下されるとタリフ状態が「実車」となり、合計ボタン１１ｂが押下されるとタリフ状態が「支払」となり、空車ボタン１１ｃが押下されるとタリフ状態が「空車」となる。なお、タリフ状態が、「実車（３割増、高速含む）」のとき、乗客を輸送する営業走行（即ち、賃走）を行う状態にあり、これらタリフ状態が、実車状態に相当する。また、タリフ状態が「実車」から「支払」に移行すると、賃走は終了する。
【００２６】
さらに、操作部１１には切替ボタン（生成禁止部）１１ｄが備えられている。切替ボタン１１ｄは、後述する二次元コード生成部１３ｂによる二次元コードの生成を禁止するものであり、切替ボタン１１ｄが操作されると二次元コード生成部１３ｂは二次元コードの生成を禁止し、切替ボタン１１ｄが再操作されると二次元コード生成部１３ｂは二次元コードの生成を行うこととなる。
【００２７】
表示部１２は、例えば、料金表示エリア１２ａ、タリフ状態表示エリア１２ｂを有している。そして、料金表示エリア１２ａ、及びタリフ状態表示エリア１２ｂの各表示内容は、タクシー料金の変化、タリフ状態の変化等に応じて更新される。
【００２８】
外部操作表示器２０は、操作表示部２１を備えている。この操作表示部２１は、液晶パネルなどの表示装置とタッチパッドなどの位置入力装置を組み合わせたものであって、後部座席に搭乗する乗客により操作可能で、且つ、視認可能な位置（例えば運転席ヘッドレスト裏面）に設けられるものである。
【００２９】
操作表示部２１の表示エリア２１ａには、周囲の地図や各種広告などが表示される。また、操作表示部２１の表示エリア２１ａには、後述の二次元コードが表示される。
【００３０】
決済端末３０は、クレジットカード決済用の磁気カードリーダとテンキー、ファンクションキー、ディスプレイ等を備えており、ＣＰＵ、ＲＡＭ、ＲＯＭ等を内蔵している。決済端末３０は、タクシーメータ１０が支払タリフであるときに、テンキーやファンクションキーの操作によりタクシー料金の決済方法を指定することができる。
【００３１】
プリンタ４０は、領収書やクレジットカード使用時におけるサイン伝票等を印刷出力するものである。このプリンタ４０は、賃走状態など、料金支払タイミングでない場合、印刷出力を禁止する設定となっており、タクシーメータ１０からのシステムデータに応じて印刷出力を許可したり禁止したりする構成となっている。
【００３２】
図２は、本発明の実施形態に係るタクシーメータシステムを示すブロック図である。
【００３３】
上記したタクシーメータシステム１は、上記構成に加えて、更にＧＰＳ（Global Positioning System）衛星からの電波を受信することにより自己の位置の情報を取得するＧＰＳ受信機５０、及び、高速道路の料金所に取り付けられたアンテナと無線通信を行い、適正な料金情報を交換することにより高速料金を支払うＥＴＣ（Electronic Toll Collection System）車載器６０を備えている。
【００３４】
さらに、図２に示すように、タクシーメータ１０は、ＣＰＵ（Central Processing Unit）１３と、ＲＡＭ（Random Access Memory）１４と、ＲＯＭ（Read Only Memory）１５と、時計ＩＣ１６と、非接触カードリードライドインターフェース（以下非接触Ｒ／Ｗ・Ｉ／Ｆという）１７と、各種インターフェース（Ｉ／Ｆという）１８ａ〜１８ｄを備えている。
【００３５】
ＣＰＵ１３は、タクシーメータ１０の全体を制御するものであり、操作部１１、表示部１２、ＲＡＭ１４と、ＲＯＭ１５と、時計ＩＣ１６と、非接触Ｒ／Ｗ・Ｉ／Ｆ１７、及び、Ｉ／Ｆ１８ａ〜１８ｄに接続されている。
【００３６】
ＲＡＭ１４は、ＣＰＵが処理を行う際に作業領域等に用いられるものであり、例えばタクシー車両の賃走状態における走行距離及び上記停車時間、並びに車両速度などの情報を一時記憶するものである。走行距離の情報は不図示の車速センサからのスピード信号に基づいて更新され、停車時間の情報は時計ＩＣ１６による計時に基づいて更新される。
【００３７】
ＲＯＭ１５は、プログラム等が格納されたものである。時計ＩＣ１６は、賃走状態（迎車待状態を含む）における停車時間を計時する機能と、現在時刻を把握する機能とを備えている。非接触Ｒ／Ｗ・Ｉ／Ｆ１７は、タクシー車両に搭乗する乗務員が所有する乗務員カードが挿入される読取・書込機器である。
【００３８】
第１Ｉ／Ｆ１８ａは、ＧＰＳ受信機５０との接続部となるものであり、第２Ｉ／Ｆ１８ｂは、ＥＴＣ車載器６０との接続部となるものである。第３Ｉ／Ｆ１８ｃは、決済端末３０との接続部となるものであり、第４Ｉ／Ｆ１８ｄは、外部操作表示器２０との接続部となるものである。
【００３９】
なお、タクシーメータ１０は、上記のほか、初乗り運賃、何ｋｍ走行で何円加算するか、何分停車で何円加算するかなどの設定値を有した料金テーブルを格納したＥＥＰＲＯＭ（Electrically Erasable Programmable Read Only Memory：図示省略）を備えている。
【００４０】
ここで、本実施形態においてＣＰＵ１３は、ＲＯＭ１５に記憶される料金算出プログラムを実行することにより、算出部１３ａが機能する。この算出部１３ａは、上記したように、乗客により指定された行先までの走行距離、及び、賃走状態における停車時間に応じたタクシー料金を算出するものである。
【００４１】
さらに、本実施形態に係るＣＰＵ１３は、ＲＯＭ１５に記憶される二次元コード生成プログラムを実行することにより、二次元コード生成部１３ｂが機能する。二次元コード生成部１３ｂは、タクシー料金の決済時に、インターネットの接続先を示すＵＲＬの情報、及び、算出部１３ａにより算出された当該タクシー料金の情報を含んだ二次元コードを生成するものである。
【００４２】
算出された二次元コードの情報は、外部操作表示器２０に送信される。これにより、外部操作表示器２０は、タクシー料金の決済時に、二次元コード生成部１３ｂにより生成された二次元コードを表示することとなる。
【００４３】
また、二次元コード生成部１３ｂは、さらに、決済日時、決済種別、乗降車地、及び高速道路の走行履歴の情報を含む二次元コードを生成する。ここで、決済日時の情報は、タクシー料金の決済を行った日時を示すものであり、決済種別の情報は、現金決済かクレジットカード決済か電子マネー決済かを示すものである。また、乗降車地の情報は、タクシー車両に乗車した位置（例えば緯度経度）及びタクシー車両を後者した位置（例えば緯度経度）を示すものであり、高速道路の走行履歴の情報は、高速道路の利用を開始したインターチェンジ及び利用を終了したインターチェンジを示す情報である。
【００４４】
加えて、タクシーメータ１０のＣＰＵ１３は、外部操作表示器２０に表示されている二次元コードと同じ二次元コードを表示部１２に表示させる。このとき、ＣＰＵ１３は、料金表示エリア１２ａ以外に二次元コードを表示させることが好ましい。料金表示エリア１２ａに表示させてしまうと、タクシー料金が表示されずに乗客に不明となってしまい、決済時に乗客が最も必要とする情報を提供できなくなってしまうからである。
【００４５】
なお、上記した切替ボタン１１ｄが操作されて二次元コードの生成が禁止されている場合には、外部操作表示器２０には二次元コードが表示されないことは言うまでもない。
【００４６】
図３は、本実施形態に係るタクシーメータシステム１を含む領収書内容確認システムを示す概略図である。図３に示すように、タクシー料金の決済時に、外部操作表示器２０に二次元コードが表示される。スマートフォン等の通信機器ＣＴにより二次元コードを読み込んだ乗客は、インターネットＩを通じてタクシー事業者の事務所側の機器であるデータサーバＤＳに接続する。このとき、二次元コードに含まれるＵＲＬの情報に基づいて、このＵＲＬが示すページにアクセスすることとなる。
【００４７】
また、二次元コードを読み込んでＵＲＬが示すページにアクセスした場合、アクセスすることによって二次元コードに含まれるタクシー料金の情報や、その他の情報（決済日時、決済種別、乗降車地、及び高速道路の走行履歴の情報）がデータサーバＤＳに送信される。
【００４８】
データサーバＤＳには、上記の如く送信された情報に基づいて画像データを生成するプログラムが格納されており、アクセス時に送信された情報がスマートフォン等の機器の表示部に画像表示されることとなる。これにより、領収書の発行を不要とすることができる。
【００４９】
特に、乗客が保有するスマートフォン等の通信機器ＣＴを利用して二次元コードに含まれるＵＲＬのページにアクセスさせてタクシー料金の情報を乗客に取得させることとなり、タクシーメータ１０自体に事務所側のデータサーバＤＳと通信するための通信機能を持たせなくともよい。
【００５０】
加えて、二次元コードの生成前にタクシーメータ１０と事務所側のデータサーバＤＳとが通信を行う必要がなく、通信環境が悪く二次元コードを表示できなかったり、できたとしても表示までに多大な時間を要してしまったりすることを防止することができる。
【００５１】
なお、通常のスマートフォン等の通信機器ＣＴではアクセスしたページのＵＲＬの履歴が通信機器ＣＴに残る。このため、乗客は後ほど自宅や会社などのパーソナルコンピュータＰＣから再度上記のページにアクセスして、内容を参照することができる。
【００５２】
図４は、本実施形態に係るタクシーメータ１０の処理内容を示すフローチャートである。図４に示すように、まずタクシーメータ１０のＣＰＵ１３は合計ボタン１１ｂが押下されたかを判断する（Ｓ１）。
【００５３】
合計ボタン１１ｂが押下されていないと判断した場合（Ｓ１：ＮＯ）、押下されたと判断されるまで、この処理は繰り返される。一方、合計ボタン１１ｂが押下されたと判断した場合（Ｓ１：ＹＥＳ）、算出部１３ａは料金算出処理を行う（Ｓ２）。この処理において算出部１３ａは、賃走状態における走行距離や時間だけでなく、迎車料金や高速道路の料金等についても合算して、タクシー料金の合計額を算出する（Ｓ２）。
【００５４】
その後、ＣＰＵ１３は、決済確定があったかを判断する（Ｓ３）。ここで、決済確定とは、決済種別の確定であり、決済端末３０の現金ボタンが押下された場合に送信される信号、クレジットカードボタンが操作されたときに送信される信号、及び、電子マネーボタンが操作されたときに送信される信号のいずれか１つを入力した場合に決済確定有りと判断する（Ｓ３：ＹＥＳ）。一方、そうでない場合（Ｓ３：ＮＯ）には、決済確定有りと判断されるまで、この処理が繰り返される。
【００５５】
決済確定有りと判断した場合（Ｓ３：ＹＥＳ）、ＣＰＵ１３は、二次元コードの生成が禁止されているかを判断する（Ｓ４）。禁止されていないと判断した場合（Ｓ４：ＮＯ）、二次元コード生成部１３ｂは、二次元コードを生成するためのタクシー料金の情報や、その他の情報（決済日時、決済種別、乗降車地、及び高速道路の走行履歴の情報）を読み出す（Ｓ５）。
【００５６】
次いで、二次元コード生成部１３ｂは、読み出した情報を含む二次元コードを生成する（Ｓ６）。その後、ＣＰＵ１３は、二次元コード生成部１３ｂにより生成された二次元コードを表示部１２に表示させると共に、生成した二次元コードの情報を外部操作表示器２０に送信して表示させる（Ｓ７）。そして、処理はステップＳ１０に移行する。
【００５７】
二次元コードの生成が禁止されていると判断した場合（Ｓ４：ＹＥＳ）、ＣＰＵ１３は、領収書及びクレジットカード使用時におけるサイン伝票等の印字帳票データを生成する（Ｓ８）。そして、ＣＰＵ１３は、印字帳票データをプリンタ４０に送信し印刷処理を行う（Ｓ９）。そして、処理はステップＳ１０に移行する。
【００５８】
その後、ＣＰＵ１３は空車ボタン１１ｃが押下されたかを判断する（Ｓ１０）。空車ボタン１１ｃが押下されていないと判断した場合（Ｓ１１：ＮＯ）、押下されたと判断されるまで、この処理は繰り返される。一方、空車ボタン１１ｃが押下されたと判断した場合（Ｓ１１：ＹＥＳ）、ＣＰＵ１３は、空車である旨を表示部１２に表示させると共に、空車である旨の情報を外部操作表示器２０やウィンドサインに送信して表示させる（Ｓ１２）。そして、図４に示す処理は終了する。
【００５９】
このようにして、本実施形態に係るタクシーメータ１０によれば、インターネットＩの接続先を示すＵＲＬ、及び、少なくともタクシー料金の情報を含んだ二次元コードを生成して、後部座席に着座する乗客に対して情報提供する外部操作表示器２０に二次元コードを表示させる。このため、乗客は、外部操作表示器２０に表示される二次元コードをスマートフォン等の通信機器ＣＴにて読み取ることができる。これにより、乗客が保有するスマートフォン等の通信機能を利用して二次元コードに含まれるＵＲＬのページにアクセスさせてタクシー料金の情報を乗客に取得させることとなり、タクシー料金の情報を乗客に取得させるために、タクシーメータ１０自体に事務所側のデータサーバＤＳと通信するための通信機能を持たせなくともよく、構成の簡素化を図ることができる。
【００６０】
さらに、タクシー料金の情報を含んだ二次元コードを生成するため、乗客が保有するスマートフォン等によりＵＲＬのページにアクセスさせたときに、タクシー料金の情報をＵＲＬが示すページを表示するサーバ等に送信することができる。このため、事務所側のデータサーバＤＳには、スマートフォン等がＵＲＬのページにアクセスしたときに送信されるタクシー料金の情報に基づいて画像生成するプログラムを搭載しておけば、二次元コードの生成前にタクシーメータ１０と事務所側のデータサーバＤＳとが通信を行う必要がなく、二次元コードを表示できなかったり、できたとしても表示までに多大な時間を要してしまったりすることを防止することができる。
【００６１】
従って、領収書の発行を不要とする場合において構成の簡素化を図り二次元コードの表示を適切に行うことができる。
【００６２】
また、決済日時、決済種別、乗降車地、及び高速道路の走行履歴の少なくとも１つの情報を含む二次元コードを生成するため、ＵＲＬのページへのアクセス時に、タクシー料金以外の情報についても送信でき、実際の領収書により近い情報を乗客に取得させることができる。
【００６３】
また、タクシーメータ１０は、外部操作表示器２０に表示されている二次元コードと同じ二次元コードを表示部１２に表示させるため、例えば助手席に着座する乗客に対しても二次元コードを提供することができ、利便性を向上させることができる。
【００６４】
また、二次元コード生成部１３ｂによる二次元コードの生成を禁止する切替ボタン１１ｄを備えるため、例えばタクシー車両の乗務員が二次元コードを表示させたくない場合などには、二次元コードの表示を禁止させておき、紙媒体による領収書の発行を行うことができる。
【００６５】
以上、実施形態に基づき本発明を説明したが、本発明は上記実施形態に限られるものではなく、本発明の趣旨を逸脱しない範囲で、変更を加えてもよい。
【００６６】
例えば、上記実施形態において二次元コード生成部１３ｂは、決済日時、決済種別、乗降車地、及び高速道路の走行履歴の情報を含む二次元コードを生成するが、これに限らず、これら情報を含むことなくＵＲＬの情報とタクシー料金との情報のみを含む二次元コードを生成してもよい。また、上記の情報の全てに限らず、いずれか１つ以上を含む二次元コードを生成してもよいし、他の情報を含む二次元コードを生成してもよい。
【００６７】
加えて、上記実施形態では切替ボタン１１ｄが操作された場合に二次元コード生成部１３ｂによる二次元コードの生成を禁止しているが、切替ボタン１１ｄ等のボタン操作に限らず、事務所側機器での設定等によって禁止するようにしてもよい。さらには、外部操作表示器２０等を利用して、乗客が二次元コードの生成を禁止したり許可したりするようになっていてもよい。
【００６８】
さらに、本実施形態に係るタクシーメータシステム１は、二次元コードの表示時に、二次元コードを読み取る旨の音声出力を行うようにしてもよい。
【符号の説明】
【００６９】
１        ：タクシーメータシステム
１０      ：タクシーメータ
１１      ：操作部
１１ａ    ：実車ボタン
１１ｂ    ：合計ボタン
１１ｃ    ：空車ボタン
１１ｄ    ：切替ボタン（生成禁止部）
１２      ：表示部
１２ａ    ：料金表示エリア
１２ｂ    ：タリフ状態表示エリア
１３      ：ＣＰＵ
１３ａ    ：算出部
１３ｂ    ：二次元コード生成部
１４      ：ＲＡＭ
１５      ：ＲＯＭ
１６      ：時計ＩＣ
１７      ：非接触Ｒ／Ｗ・Ｉ／Ｆ
１８ａ〜１８ｄ    ：Ｉ／Ｆ
２０      ：外部操作表示器（表示器）
２１      ：操作表示部
２１ａ    ：表示エリア
３０      ：決済端末
４０      ：プリンタ
５０      ：ＧＰＳ受信機
６０      ：ＥＴＣ車載器
ＣＴ      ：通信機器
ＤＳ      ：データサーバ
Ｉ        ：インターネット
【図１】
0006385227.tif 000002
【図２】
0006385227.tif 000003
【図３】
0006385227.tif 000004
【図４】
0006385227.tif 000005